(57)【特許請求の範囲】
【請求項１】
室内の空気を吸込んで室内へ送風する送風機と、
前記送風機の吸込み側に設けられ塵埃を集塵するためのエアフィルタと、
前記エアフィルタの左右方向に懸架されて、エアフィルタに集塵された塵埃を除去するブラシを備えた塵埃除去手段と、
前記塵埃除去手段を前記エアフィルタの前後方向に移動させる移動手段と、
を備えた空気調和機の室内機において、
前記エアフィルタを、反塵埃除去手段側から、前記ブラシへ押さえつける押さえ手段を備え、
前記エアフィルタには、前記ブラシに平行で、かつ、曲率半径が前記ブラシの外周半径よりも大きい凹部と、前記凹部が上方側に突出することで設けられる凸部とが、エアフィルタの左右両端に亘り設けられており、
前記押え手段には、前記ブラシの直上から前記前後方向の一端部にかけて前記エアフィルタと接触する接触部が下方に突出して設けられており、
前記塵埃除去手段が待機状態位置にあるとき、前記凹部と前記ブラシの前後方向位置が一致し、前記押え手段の接触部が前記凸部の上方に移動する
ことを特徴とする空気調和機の室内機。
【請求項２】
前記ブラシが前記待機状態位置にあるとき、前記ブラシの外周面が前記凹部に接触することなく重なる、
ことを特徴とする請求項１に記載の空気調和機の室内機。
【発明の詳細な説明】
【技術分野】
【０００１】
本発明の実施の形態は、塵埃除去手段を備えた空気調和機の室内機に関する。
【背景技術】
【０００２】
従来、空気調和機の室内機には、室内熱交換器と、室内熱交換器に送風し熱交換を促進させるための送風機と、送風される空気に含まれる塵埃を集塵するためのエアフィルタが備えられている。また、エアフィルタに集塵された塵埃を除去するための塵埃除去ユニットが備えられている。
このような塵埃除去ユニットは、エアフィルタの風上側表面に、ブラシ等を当接させたまま移動させることで、エアフィルタに集塵された塵埃を除去するものが知られている。
【０００３】
上記塵埃除去ユニットをエアフィルタに沿って移動させる手段には種々のものがあり、例えば、塵埃除去ユニットの一端又は両端に駆動力を加える移動機構を設けるものが知られている。
【先行技術文献】
【特許文献】
【０００４】
【特許文献１】特開２０１０−１１２５９５号公報
【発明の概要】
【発明が解決しようとする課題】
【０００５】
しかし、一般的な塵埃除去手段は、塵埃除去運転を行なわない待機状態においてもブラシ等をエアフィルタ等に当接させた状態で保持されるため、ブラシ等の一部を長時間、当接させたままとなる。このため、当接された部分が変形し、次に塵埃除去運転を行なう際に、塵埃の除去が正常に行なわれない問題がある。そのため、長時間の待機状態の後でも良好な塵埃除去運転が行なわれる塵埃除去手段を備えた空気調和機の室内機を提供する必要がある。
【課題を解決するための手段】
【０００６】
本発明の実施形態の空気調和気の室内機は、筺体内に空気を吸込んで送風する送風機を備えており、この送風機の吸込み側には塵埃を集塵するためのエアフィルタが設けられている。その風上には、エアフィルタの左右方向に懸架されて、エアフィルタに集塵された塵埃を除去するブラシを備えた塵埃除去手段が設けられている。塵埃除去手段は移動手段によってエアフィルタの前後方向に移動するようになっている。また、エアフィルタは、押え手段により塵埃除去手段の反対側からブラシに押さえつけられている。
さらに、エアフィルタには、左右両端に亘ってブラシに平行で、かつ、曲率半径が前記ブラシの外周半径よりも大きい凹部と、凹部が上方側に突出することで設けられる凸部とが設けられている。また、押え手段には、ブラシの直上から前後方向の一端部にかけて前記エアフィルタと接触する接触部が下方に突出して設けられている。塵埃除去手段が待機状態位置にあるとき、この凹部とブラシの前後方向位置が一致し、押え手段の接触部が凸部の上方に移動するようになっている。
【図面の簡単な説明】
【０００７】
【図１】実施形態に係る空気調和機の室内機の縦断面図。
【図２】実施形態に係る枠体とエアフィルタと塵埃除去手段の斜視図。
【図３】実施形態に係る枠体と塵埃除去手段の上面図。
【図４】実施形態に係る塵埃除去手段の縦断面図。
【図５】実施形態に係る室内機の制御器のブロック図。
【図６】実施形態に係る塵埃除去運転の状態を示す図。
【発明を実施するための形態】
【０００８】
図１乃至図６を用いて本発明の実施形態について説明を行う。
（第１の実施形態）
図１に、本実施形態の空気調和機の室内機１の断面の概略図を示す。
室内機１は壁掛け型や天井埋め込み型など種々の形態があるが、本実施形態では天井埋め込み型の室内機について説明する。
【０００９】
室内機１は、ケーシング本体１１と、ケーシング本体１１下面を覆う化粧パネル１２を備えている。このケーシング本体１１内には、室内熱交換器１０５と、ドレンパン３８と、チャンバ３７と、送風機３９と、エアフィルタ４０と、塵埃除去手段５０が設けられている。また室内機１の運転を制御するための制御器１００（図５参照）が設けられている。この制御器１００には、使用者が空気調和機を操作するためのリモコン１０６が接続されている。
【００１０】
ケーシング本体１１は下部が開口した略直方体形状をしており、ケーシング本体１１の内面は、断熱材１７で覆われている。また、ケーシング本体１１は、設置される室内の天井Aの開口に挿通した状態で設置され、天井裏の天井面から吊り下げ支持されるようになっている。
【００１１】
化粧パネル１２は、平面視で略矩形の板状に形成されており、ケーシング本体１１の下方を覆うように設けられる。ケーシング本体１１に取り付けられた化粧パネル１２は、室内機１が室内の天井Ａへ据付けられた状態において、室内側に露出するようになっている。
【００１２】
化粧パネル１２には、中央部に矩形状の吸込口２２が設けられており、吸込口２２には、複数のスリット状の通気口２９ａが形成された吸込グリル２９が嵌め込まれている。吸込口２２の周囲には、四方を取り囲むよう細長い矩形状の吹出口２３が設けられている。各吹出口２３には、風向調整板２３ａが設けられており、この風向調整板２３ａは、回動して風向（吹出方向）を調整するように構成されている。
【００１３】
ケーシング本体１１内の化粧パネル１２上方には、シール部材１９を挟んでチャンバ３７が設けられている。チャンバ３７は、吸込口２２から吸込まれた空気を導通する吸込室３７ａと、吹出口から吹出す空気を導通する吹出室３７ｂを備えている。
【００１４】
チャンバ３７の吸込室３７ａ上部には、ドレンパン３８が配置されており、ドレンパン３８は室内熱交換器１０５を支持している。
室内熱交換器１０５は、プレートフィンチューブ型熱交換器として形成されている。室内熱交換器１０５は、平面視でロ字状に形成され、室内機１内の中央部に位置する送風機３９を囲むように配置されている。室内熱交換器１０５では、送風機３９によって送られる室内空気と室内熱交換器１０５内を流通する冷媒との間で熱交換が行われる。
【００１５】
ドレンパン３８は、室内熱交換器１０５の下側に平面視で環状に設けられており、室内熱交換器１０５において空気中の水分が凝縮して生じるドレン水を受けるように形成されている。ドレンパン３８には、ドレン水を排水するための図示しないドレンポンプが設けられている。ドレンパン３８は、ドレンポンプを設置した箇所にドレン水が集まるように勾配がつけられている。
【００１６】
送風機３９は、ファンモータ３９ａと羽根車３９ｂとで構成されている。送風機３９の下方には、吸込口２２に連通するようにベルマウス２５が設けられており、ケーシング本体１１の中央付近に配置されている。ファンモータ３９ａは、ケーシング本体１１の天板に固定されている。羽根車３９ｂは、いわゆるターボファンであり、吸込口２２からベルマウス２５を介して、回転軸方向に吸込んだ空気を回転半径方向へ吹出すものであり、ファンモータ３９ａの回転軸に連結されている。
【００１７】
吸込口２２とベルマウス２５の間には、室内空気中に含まれる塵埃を捕捉するためのエアフィルタ４０が設けられている。エアフィルタ４０は、略矩形状の樹脂製のフレーム４１に繊維シートが接着されて構成されている。
【００１８】
エアフィルタ４０には、エアフィルタ４０の下面側で集塵された塵埃を除去するための塵埃除去手段５０が設けられている。
塵埃除去手段５０は、塵埃を除去する回転ブラシ５１と、塵埃貯留容器６０と、エアフィルタ４０を上方から押えつける押え手段７０を有している。
【００１９】
エアフィルタ４０及び塵埃除去手段５０は、略ロ字状の枠体２００によって支持されている。枠体２００は、チャンバ３７の吸込室３７ａに配置されている。
【００２０】
図２に、枠体２００とエアフィルタ４０と塵埃除去手段５０の押え手段７０の上面斜視図を示す。
枠体２００の中央には、吸込口２２から吸込まれた空気をエアフィルタ４０へ送るために、フレーム４１の外枠と略同一の形状の吸込孔が設けられている。
【００２１】
塵埃除去手段５０は、エアフィルタ４０の吸込み側に当接する回転ブラシ５１と、回転ブラシ５１を回転させるブラシ駆動モータ１０３を備えており、回転ブラシ５１の下方に塵埃貯留容器６０と、エアフィルタ４０を挟んで回転ブラシ５１の上方に位置する押さえ手段７０を備えている。
回転ブラシ５１は、ブラシ駆動モータ１０３に連結された棒状のシャフト部５１ａと、シャフト部５１ａ周囲に設けられた複数の植毛からなるブラシ部５１ｂとで構成されている（図３参照）。
回転ブラシ５１は、エアフィルタ４０の下方に左右方向に懸架されるように設けられている。
【００２２】
押さえ手段７０は、エアフィルタ４０を左右へ横断する平板状の部材であり、回転ブラシ５１に略平行に設けられており、エアフィルタ４０を上面から回転ブラシ５１に押し当てるようになっている。
【００２３】
さらに、枠体２００及び塵埃除去手段５０の左右両端には、移動手段８０が設けられており、塵埃除去手段５０をエアフィルタ４０の前後方向へ往復移動させる機能を有する。
【００２４】
図３に、枠体２００とエアフィルタ４０と塵埃除去手段５０と移動手段８０の上面図を示す。
なお、図３ではエアフィルタ４０を破線で示し、押え手段７０は図示していない。
【００２５】
移動手段８０は、塵埃除去手段５０の左右夫々に設けられるピニオンギア８２Ｌ、８２Ｒを有しており、このピニオンギア８２Ｌ、８２Ｒは連動シャフト８１により連動可能に接続され、塵埃除去手段５０に軸支されている。さらに、エアフィルタ４０の左右両辺には、ラックギア８３Ｌ、８３Ｒが設けられており、ピニオンギア８２Ｌ、８２Ｒにかみ合わされている。さらに、連動シャフト８１の左のピニオンギア８２Ｌ側には、連動シャフト８１を回転駆動させるための移動用モータ８５が設けられている。なお、この移動用モータ８５の回転軸は、連動シャフト８１を回転駆動させるために、連動シャフト８１に直接連結されても良く、連動シャフト８１に固定されたギアを別途設けて、ギアを介して駆動されるようにしても良い。
【００２６】
上記のように移動手段８０が構成されており、移動用モータ８５が駆動すると、連動シャフト８１、及び、ピニオンギア８２Ｌ、８２Ｒが回転駆動し、ラックギア８３Ｌ、８３Ｒに沿って移動する。これにより、塵埃除去手段５０全体がエアフィルタ４０の前後方向へ移動する。
【００２７】
エアフィルタ４０の左右に設けられたラックギア８３Ｌ、８３Ｒの前側部には、初期位置センサ１０１Ｌ、１０１Ｒが設けられており、エアフィルタ４０の後側部には反転用センサ１０２が設けられている。
これら、初期位置センサ１０１Ｌ、１０１Ｒ及び反転用センサ１０２は、制御器１００に接続されており（図５参照）、塵埃除去手段５０が、初期位置または反転位置にあるかを検知する。これらセンサ類には、リミットスイッチや赤外線センサなど種々の位置センサを用いて良いが、本実施形態においては、磁気センサを用いる。このように、初期位置センサ及び反転用センサに磁気センサを用いることで、各センサの検出部に細かな塵埃が体積した場合においても誤検知することがなく、位置検出センサとしての機能を失うことがない。
【００２８】
図４にエアフィルタ４０と塵埃除去手段５０の縦断面図を示す。
図４に示すように、塵埃収集口６０ａの断面形状は、回転ブラシ５１の下方を囲むように逆八字状の口部を有して形成されている。
塵埃貯留容器６０の内部には、回転ブラシ５１に付着した塵埃を除去するための櫛部６２が設けられている。この櫛部６２はブラシ部５１ｂの下方に当接して設けられており、回転ブラシ５１の回転に伴いブラシ部５１ｂを梳くようになっている。
【００２９】
押さえ手段７０は上述の幅寸法Ｌを有することで、冷房運転又は暖房運転中のように送風機３９による送風がなされている場合において、塵埃除去手段５０の回転ブラシ５１への通風を一部遮断する手段として機能する。
【００３０】
押さえ手段７０は、塵埃貯留容器６０の前後方向長さ寸法と略同一の前後方向長さ寸法を有しており、エアフィルタ４０を挟んで回転ブラシ５１の直上に平行に配されている。また、押さえ手段７０の下面には、前後方向の中央部（図４での回転ブラシ５１の回転軸直上）から後方端部にかけてエアフィルタ４０と接触する接触部７０ａが下方に突出して設けられている。この接触部７０ａがエアフィルタ４０に当接することで、エアフィルタ４０を回転ブラシ５１に押し当てることができる。
また、前後方向中央（回転ブラシ５１の回転軸直上）から前方側の他端にかけては、エアフィルタ４０と押さえ手段７０との間に隙間ができるため、送風機３９の送風による塵埃除去手段５０回りの空気の流れにより、負圧が生じるようになっている。
【００３１】
さらに、エアフィルタ４０のフレーム４１の前端部下面には、回転ブラシ５１に平行な、半円筒状の凹部４１ａが、エアフィルタ４０の左右両端に亘り設けられている。この凹部４１ａの曲率半径は、塵埃ブラシ５１の外周半径よりも大きいことが好ましい。塵埃除去手段が前方側の待機状態位置にあるとき、凹部４１ａと回転ブラシ５１は前後方向位置が一致しており、ブラシ部５１ｂの植毛が曲がらないようになっている。
【００３２】
また、凹部４１ａの上方側は、押え手段７０に対して突出した凸部４１ｂとなっており、塵埃除去手段が前方側の待機状態位置にあるとき、押え手段７０を上方へ押し上げるようになっている。
押え手段７０の後端部は、塵埃除去手段５０に対して、ヒンジ等により前端部が上下に可動可能に固定されており、塵埃除去手段５０が、待機状態位置にあるとき、押え手段７０の前端部がフレーム４１の凸部４１ｂにより持ち上げられるようになっている。
【００３３】
このように待機状態において、回転ブラシ５１がエアフィルタ４０に接触しないことで、回転ブラシ５１表面のブラシ部５１ｂの植毛が折れ曲がった状態で待機することがない。これにより、植毛の変形を防止でき、良好な塵埃除去運転を維持することができる。
また、待機状態位置において、押え手段７０がフレーム４１により持ち上げられることで、凸部４１ｂを下方へ押し出すことが無く、フレーム４１を変形させることが無い。
【００３４】
上述した構成を有する室内機１の運転状況について説明する。
冷房運転又は暖房運転が行われると、送風機３９のファンモータ３９ａが駆動し羽根車３９ｂが回転する。そして、吸込口２２から塵埃を含む室内空気が吸込まれ、エアフィルタ４０の下面から上面へと通り抜ける。このとき、室内空気に含まれる塵埃がエアフィルタ４０下面に付着する。室内空気は、ベルマウス２５と羽根車３９ｂを介して室内熱交換器１０５に送られる。室内熱交換器１０５で熱交換された後、室内空気は室内パネル１２の吹出し口２３を介して室内に吹出される。
【００３５】
上述のように送風機３９により送風が行われている冷房運転又は暖房運転中において、定期的にエアフィルタ４０の塵埃除去運転が行われる。
【００３６】
塵埃除去運転について図５及び図６を用いて説明する。
図５に室内機１の制御器１００のブロック図を示す。制御器１００は室内機１の暖房運転及び冷房運転と、フィルタ清掃運転の運転制御を行うものである。
制御器１００には、操作部であるリモコン１０６と、初期位置センサ１０１Ｌ、１０１Ｒ及び反転センサ１０２と、ブラシ駆動モータ１０３及び移動用モータ８５と、送風機３９のファンモータ３９ａと、計時手段であるタイマ１０７が接続されている。
【００３７】
制御器１００によるフィルタ清掃運転の動作について図６を用いて説明する。
【００３８】
タイマ１０７により、暖房又は冷房運転中に送風機３９のファンモータ３９ａが所定時間駆動したことが検知されると、移動手段８０の移動用モータ８５が駆動され、塵埃除去運転が開始される。
【００３９】
塵埃除去運転が開始すると、待機状態位置から塵埃除去手段５０が後方側へ移動し、押え手段７０は凸部４１ｂからずれてエアフィルタ４０を回転ブラシ５１に押し当てるように機能する（図６（ａ））。そして、塵埃除去手段５０がエアフィルタ４０の前方端部から移動したことが、初期位置センサ１０１Ｌ、１０１Ｒによって検知される。
【００４０】
制御器１００の指令により塵埃除去運転が開始されると、移動用モータ８５と、ブラシ駆動モータ１０３が回転される。これにより、移動手段８０によって塵埃除去手段５０がエアフィルタ４０の後方へ向かって往移動（図６（ｂ））し、エアフィルタ４０下面に当接した回転ブラシ５１がエアフィルタ４０下面を転がるように回転する。これにより、エアフィルタ４０下面に付着した塵埃は回転ブラシ５１のブラシ部５１ｂに絡めとられる。
ブラシ部５１ｂに絡めとられた塵埃は、櫛部６２によって取除かれ、塵埃貯留容器６０内へ落下し貯留される。
この時、押さえ手段７０の前方側とエアフィルタ４０の隙間の負圧によって、回転ブラシ５１の中心付近に付着した塵埃が、外周付近に吸い寄せられ櫛部６２によって塵埃貯留容器６０に回収される。又はエアフィルタ４０下面に付着する。
【００４１】
塵埃除去手段５０がエアフィルタ４０の後方端部に到達すると、反転用センサ１０２により検知され、制御器１００の指令により回転ブラシ５１の回転及び移動手段８０は一旦停止する。
【００４２】
その後、制御器１００の指令により、移動用モータ８５が反対方向に回転し、移動手段８０によって塵埃除去手段５０がエアフィルタ４０の前方へ向かって復移動（図６（ｄ））する。さらに、ブラシ駆動モータ１０３が逆回転し、回転ブラシ５１がエアフィルタ４０下面を転がるように回転する。
そして、エアフィルタ４０の下面に付着した塵埃をブラシ部５１ｂに絡めとり、塵埃貯留容器６０内へ貯留する。
【００４３】
復移動後（図６（ｅ））、塵埃除去手段５０と塵埃貯留容器６０及び押さえ手段７０が前方端部へ戻り、押え手段７０は凸部４１ａに押し上げられ、塵埃除去手段５０は待機状態位置へ移動する。そして、初期位置センサ１０１Ｌ、１０１Ｒに検知され、制御器１００の指令により移動用モータ８５が停止され、移動手段８０が停止する。その後、回転ブラシ５１は一定時間回転し続け、ブラシ部５１ｂに付着した塵埃を除去する。
【００４４】
以上のような塵埃除去運転は、冷房又は暖房運転中に所定時間毎に行われる。
また、冷房又は暖房中でない場合に、使用者がリモコン１０６を操作することで、塵埃除去運転を行うことも出来る。この場合、室内熱交換器での熱交換は行われず、送風機３９のファンモータ３９ａを駆動し、上記図６（ａ）乃至（ｅ）を用いて説明した動作により塵埃除去運転が行われる。
【００４５】
上述のように、本実施形態のような塵埃除去運転において、塵埃除去手段５０がエアフィルタ４０の前側部から後側部へ往移動すると、送風機３９の送風により、エアフィルタ４０と押え手段７０前側部の隙間に負圧が生じ、回転ブラシ５１に付着した塵埃が離脱し易くなり、効率よく櫛部６２に塵埃が梳き取られる。復移動において、エアフィルタ４０に付着した塵埃を効率よく回転ブラシ５１により除去することができる。これにより、回転ブラシ５１に塵埃が堆積することなく、回転ブラシ５１の塵埃を捕捉する性能を低下させずにエアフィルタ４０の塵埃詰りを防止し、送風効率の低下しない室内機１を提供することができる。
【００４６】
制御部１００は、初期位置センサ１０１Ｌ、１０１Ｒ及び反転用センサ１０２により塵埃除去手段５０が移動した回数をカウントしており、この清掃手段が移動した回数をもとにして、塵埃貯留容器６０に堆積した塵埃の量を推定し、制御器１００や、操作部１０６への表示等を行なう。
【００４７】
さらに、塵埃除去手段５０の上部に押さえ手段７０を設けることで、送風機３９の運転中であっても塵埃除去手段５０をさけて風が流れるので、送風の影響を受けることなくエアフィルタ４０に付着した塵埃を効率よく除去することができる。また、塵埃除去手段６０がエアフィルタ４０を押圧し、押さえ手段７０へ押しあてられる。ことにより、回転ブラシ５１がエアフィルタ４０に確実に接触し、エアフィルタ４０に付着した塵埃を確実に掻き落とすことができる。また、塵埃除去手段５０をエアフィルタ４０に強く押圧した場合でも、押さえ手段７０により反対側から押圧することでエアフィルタ４０の樹脂性の枠から繊維シートが剥離するのを防ぐことができる。
【００４８】
上述のように、長時間の連続運転を行い、塵埃の付着量が大量となった空気調和機において、送風機３９による送風が行われている冷房、暖房運転中においても、塵埃除去運転を行うことができ、エアフィルタ４０の塵埃詰りによる空気調和機の性能低下を抑えることができる。
【００４９】
また、塵埃除去運転によりエアフィルタ４０から除去され塵埃貯留容器６０からこぼれ落ちた塵埃は、送風機３９の送風により吸上げられ、室内へ落下することがなく、次に行われる塵埃除去運転にて除去される。
【００５０】
これにより、送風機３９が送風を行っている状態において、塵埃除去手段５０の後方側は接触部７０ａによって送風が遮断され、押さえ手段７０の前方側は隙間により送風が遮断されず通風され、塵埃除去手段５０の回転ブラシ５１の中央から押さえ手段７０の隙間に面する部分には送風され、中央から接触部７０ａに面する部分には送風されない。
これにより、エアフィルタ４０に付着した塵埃を回転ブラシ５１のブラシ部５１ｂによって確実に且つ効率良く除去することができる。
【００５１】
また、待機状態において回転ブラシ５１がエアフィルタ４０に接触しないことで、回転ブラシ５１表面のブラシ部５１ｂの植毛が折れ曲がって待機することがなく、植毛の変形を防止でき、良好な塵埃除去運転を維持することができる。
【００５２】
上記空気調和機の室内機は４方向天井カセット式に係らず、送風機による送風を行いつつエアフィルタの塵埃除去運転が可能な種々の形態に応用してよい。例えば、壁掛け型の室内機においては、エアフィルタ４０と塵埃除去手段５０と押さえ手段７０を水平方向に対して傾ける、又は、９０°回転して設置しても良い。この場合、塵埃貯留容器６０と塵埃収集口６０ａは塵埃を回収できる範囲で種々の形態を用いて良い。また、櫛部６２は回転ブラシ５１の塵埃を除去し易い形態や配置を用いて良い。
【００５３】
本発明は、上記実施形態に限定されない。さらに、上記実施形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００５４】
１…室内機、１１…ケーシング本体、１２…化粧パネル、２２…吸込口、２３…吹出口、２３ａ…風向調整板、２５…ベルマウス、３７…チャンバ、３９…送風機、３９ａ…ファンモータ、３９ｂ…羽根車、４０…エアフィルタ、４１…フレーム、４１ａ…凹部、４１ｂ…凸部、５０…塵埃除去手段、５１…回転ブラシ、６０…塵埃貯留容器、６２…櫛部、７０…押え手段、８０…移動機構、１００…制御器、１０１…初期位置センサ、１０２…反転用センサ、１０３…ブラシ駆動モータ、１０５…室内熱交換機、１０６…リモコン、１０７…タイマ、２００…枠体
【図１】
0006000603.tif 000002
【図２】
0006000603.tif 000003
【図３】
0006000603.tif 000004
【図４】
0006000603.tif 000005
【図５】
0006000603.tif 000006
【図６】
0006000603.tif 000007